【手続補正書】
【提出日】平成27年2月6日(2015.2.6)
【手続補正１】
【補正対象書類名】特許請求の範囲
【補正対象項目名】全文
【補正方法】変更
【補正の内容】
【特許請求の範囲】
【請求項１】
折り畳み可能な少なくとも１つのパネル上に配置される第１のタッチスクリーンディスプレイ及び第２のタッチスクリーンディスプレイを設ける携帯機器の制御方法であって、
第１のタッチスクリーンを含む第１のパネルと第２のタッチスクリーンを含む第２のパネルが広げられている状態で、前記第１のタッチスクリーンにホームスクリーンとして指定された少なくとも１つのウィジェット領域及び／又はアプリケーションあるいはアプリケーショングループに関連した少なくとも１つのアイコンを含む第１のページと、通話アプリケーションのアイコンを含むドック領域を表示し、前記第２のタッチスクリーンに第１の情報を表示するステップと、
前記通話アプリケーションのアイコン上で第１のタップジェスチャーを感知するステップと、
前記第１のタップジェスチャーの感知に応答して、前記第１のタッチスクリーンの前記ホームスクリーンの第１のページと前記ドック領域を、通話アプリケーションにより提供される発呼スクリーンに置き換えて表示するステップと、
前記発呼スクリーンは、ダイヤルされた番号を表示する番号表示領域とキーパッド領域と通話キーと映像通話キーとメッセージ発信キーのうち少なくとも１つを含み、前記発呼スクリーンが前記第１のタッチスクリーンに表示される間に、前記第２のタッチスクリーンは前記第１の情報を維持し、前記キーパッド領域を通して電話番号が入力されて前記通話キー上で第２のタップジェスチャーを感知するステップと、
前記第２のタップジェスチャーの感知に応答して、前記第１のタッチスクリーンの前記発呼スクリーンをダイヤリングスクリーンに置き換えて表示し、前記第２のタッチスクリーンに通話のために携帯機器を折り畳むことを勧告する案内メッセージスクリーンを表示するステップと、前記ダイヤリングスクリーンは、相手通話者を示す通話者識別領域と通話中機能を提供する機能キー領域を含み、
前記相手通話者と通話が接続されると、前記第１のタッチスクリーンの前記ダイヤリングスクリーンを通話中のスクリーンに置き換えて表示し、前記第２のタッチスクリーンの前記案内メッセージスクリーンを除去して前記第１の情報を表示するステップと、を含み、前記通話中のスクリーンは、前記相手通話者を示す通話者識別領域と通話時間と通話中機能を提供する機能キー領域を含むことを特徴とする制御方法。
【請求項２】
タッチスクリーンディスプレイを設ける携帯機器の制御方法であって、
第１のタッチスクリーンに第１の情報を表示し、第２のタッチスクリーンに第２の情報を表示する間に発呼要請を感知するステップと、
前記発呼要請の感知に応答して、前記第１のタッチスクリーンの前記第１の情報を発呼スクリーンに置き換えて表示するステップと、
前記発呼スクリーンは、ダイヤルされた番号を表示する番号表示領域とキーパッド領域と通話キーと映像通話キーとメッセージ発信キーのうち少なくとも１つを含み、前記発呼スクリーンが前記第１のタッチスクリーンに表示される間に、前記第２のタッチスクリーンは、前記第２の情報を維持し、前記キーパッド領域を通して電話番号が入力されて前記通話キー上で第１のタップジェスチャーを感知するステップと、
前記第１のタップジェスチャーの感知に応答して、前記第１のタッチスクリーンの前記発呼スクリーンをダイヤリングスクリーンに置き換えて表示するステップと、前記ダイヤリングスクリーンは、前記入力された電話番号に対応する相手通話者を示す通話者識別領域と通話中機能を提供する機能キー領域を含み、
前記発呼スクリーンを表示する間に、前記第２のタッチスクリーンの前記第２の情報を非活性化して通話のために携帯機器を折り畳むことを勧告する案内メッセージスクリーンを前記第２のタッチスクリーンに表示するステップと、
前記相手通話者と通話が接続されると、前記第１のタッチスクリーンの前記ダイヤリングスクリーンを通話中のスクリーンに置き換えて表示し、前記第２のタッチスクリーンの前記案内メッセージスクリーンを除去して前記第１の情報を表示するステップと、を含み、前記通話中のスクリーンは、前記相手通話者を示す通話者識別領域と通話時間と通話中機能を提供する機能キー領域を含むことを特徴とする制御方法。
【請求項３】
前記第１及び第２のタッチスクリーンのうち少なくとも１つに、通話アプリケーションのアイコンを含むドック領域を表示するステップと、
前記通話アプリケーションのアイコン上で第１のタップジェスチャーを感知すると、前記発呼要請が感知されたことに判断するステップと、をさらに含むことを特徴とする請求項２に記載の制御方法。
【請求項４】
前記第１のタッチスクリーンを含む第１のパネルと前記第２のタッチスクリーンを含む第２のパネルが広げられている状態で前記相手通話者と通話が接続されると、スピーカーフォンモードで通話を接続するステップをさらに含むことを特徴とする請求項２に記載の制御方法。
【請求項５】
前記相手通話者と通話が接続した以後に前記第１のタッチスクリーンが前面に向けるように前記第１及び第２のパネルがフォールドアウトされることを感知するステップと、
前記フォールドアウトされることの感知に応答して、前記第２のタッチスクリーンをターンオフし、前記スピーカーフォンモードを非活性化させるステップと、を含むことを特徴とする請求項４に記載の制御方法。
【請求項６】
前記第１のタッチスクリーンに前記発呼スクリーン及び前記通話中のスクリーンのうちの１つが表示される間に、前記第２のタッチスクリーンに前記第２の情報と共に、頻繁に使用されるアプリケーションのショートカットアイコンを含むドック領域を表示するステップをさらに含み、
前記第２のタッチスクリーンに表示される前記第２の情報は、ホームスクリーンとして指定された第１のページを含むことを特徴とする請求項２に記載の制御方法。
【請求項７】
前記第１のタッチスクリーンに前記通話中のスクリーンが表示され、前記第２のタッチスクリーンに前記ホームスクリーンの第１のページと前記ドック領域を表示する間に前記第１のタッチスクリーンが前面に向けるように第１及び第２のパネルがフォールドアウトされることを感知するステップと、
前記フォールドアウトの感知に応答して、前記第２のタッチスクリーンをターンオフし、前記第１のタッチスクリーンの前記通話中のスクリーンを維持するステップと、
前記相手通話者との通話が終了すると、前記第１のタッチスクリーンの前記通話中のスクリーンを、前記ホームスクリーンの第１のページと前記ドック領域に置き換えて表示するステップと、を含むことを特徴とする請求項６に記載の制御方法。
【請求項８】
折り畳み可能な少なくとも１つのパネル上に配置される第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
前記第１のタッチスクリーンを含む第１のパネルと前記第２のタッチスクリーンを含む第２のパネルが広げられている状態で、前記第１のタッチスクリーンにホームスクリーンとして指定された少なくとも１つのウィジェット領域及び／又はアプリケーションあるいはアプリケーショングループに関連した少なくとも１つのアイコンを含む第１のページと、通話アプリケーションのアイコンを含むドック領域を表示し、前記第２のタッチスクリーンに第１の情報を表示するステップと、
前記通話アプリケーションのアイコン上で第１のタップジェスチャーを感知するステップと、
前記第１のタップジェスチャーの感知に応答して、前記第１のタッチスクリーンの前記ホームスクリーンの第１のページと前記ドック領域を、通話アプリケーションにより提供される発呼スクリーンに置き換えて表示するステップと、
前記発呼スクリーンは、ダイヤルされた番号を表示する番号表示領域とキーパッド領域と通話キーと映像通話キーとメッセージ発信キーのうち少なくとも１つを含み、前記発呼スクリーンが前記第１のタッチスクリーンに表示される間に、前記第２のタッチスクリーンは前記第１の情報を維持し、前記キーパッド領域を通して電話番号が入力されて前記通話キー上で第２のタップジェスチャーを感知するステップと、
前記第２のタップジェスチャーの感知に応答して、前記第１のタッチスクリーンの前記発呼スクリーンをダイヤリングスクリーンに置き換えて表示し、前記第２のタッチスクリーンに通話のために携帯機器を折り畳むことを勧告する案内メッセージスクリーンを表示するステップと、前記ダイヤリングスクリーンは、相手通話者を示す通話者識別領域と通話中機能を提供する機能キー領域を含み、
前記相手通話者と通話が接続されると、前記第１のタッチスクリーンの前記ダイヤリングスクリーンを通話中のスクリーンに置き換えて表示し、前記第２のタッチスクリーンの前記案内メッセージスクリーンを除去して前記第１の情報を表示するステップと、を含み、前記通話中のスクリーンは、前記相手通話者を示す通話者識別領域と通話時間と通話中機能を提供する機能キー領域を含むことを特徴とする携帯機器。
【請求項９】
第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
前記第１のタッチスクリーンに第１の情報を表示し、前記第２のタッチスクリーンに第２の情報を表示する間に発呼要請を感知するステップと、
前記発呼要請の感知に応答して、前記第１のタッチスクリーンの前記第１の情報を発呼スクリーンに置き換えて表示するステップと、
前記発呼スクリーンは、ダイヤルされた番号を表示する番号表示領域とキーパッド領域と通話キーと映像通話キーとメッセージ発信キーのうち少なくとも１つを含み、前記発呼スクリーンが前記第１のタッチスクリーンに表示される間に、前記第２のタッチスクリーンは、前記第２の情報を維持し、前記キーパッド領域を通して電話番号が入力されて前記通話キー上で第１のタップジェスチャーを感知するステップと、
前記第１のタップジェスチャーの感知に応答して、前記第１のタッチスクリーンの前記発呼スクリーンをダイヤリングスクリーンに置き換えて表示し、前記第２のタッチスクリーンに通話のために携帯機器を折り畳むことを勧告する案内メッセージスクリーンを表示するステップと、前記ダイヤリングスクリーンは、前記入力された電話番号に対応する相手通話者を示す通話者識別領域と通話中機能を提供する機能キー領域を含み、
前記相手通話者と通話が接続されると、前記第１のタッチスクリーンの前記ダイヤリングスクリーンを通話中のスクリーンに置き換えて表示し、前記第２のタッチスクリーンの前記案内メッセージスクリーンを除去して前記第１の情報を表示するステップと、を含み、前記通話中のスクリーンは、前記相手通話者を示す通話者識別領域と通話時間と通話中機能を提供する機能キー領域を含むことを特徴とする携帯機器。
【請求項１０】
コンピュータにより実行可能であるように構成されるプログラムを記憶するメモリを含み、
前記プログラムは、
第１のタッチスクリーンを含む第１のパネルと第２のタッチスクリーンを含む第２のパネルが広げられている状態で、前記第１のタッチスクリーンにホームスクリーンとして指定された少なくとも１つのウィジェット領域及び／又はアプリケーションあるいはアプリケーショングループに関連した少なくとも１つのアイコンを含む第１のページと、通話アプリケーションのアイコンを含むドック領域を表示し、前記第２のタッチスクリーンに第１の情報を表示するステップと、
前記通話アプリケーションのアイコン上で第１のタップジェスチャーを感知するステップと、
前記第１のタップジェスチャーの感知に応答して、前記第１のタッチスクリーンの前記ホームスクリーンの第１のページと前記ドック領域を、通話アプリケーションにより提供される発呼スクリーンに置き換えて表示するステップと、
前記発呼スクリーンは、ダイヤルされた番号を表示する番号表示領域とキーパッド領域と通話キーと映像通話キーとメッセージ発信キーのうち少なくとも１つを含み、前記発呼スクリーンが前記第１のタッチスクリーンに表示される間に、前記第２のタッチスクリーンは前記第１の情報を維持し、前記キーパッド領域を通して電話番号が入力されて前記通話キー上で第２のタップジェスチャーを感知するステップと、
前記第２のタップジェスチャーの感知に応答して、前記第１のタッチスクリーンの前記発呼スクリーンをダイヤリングスクリーンに置き換えて表示し、前記第２のタッチスクリーンに通話のために携帯機器を折り畳むことを勧告する案内メッセージスクリーンを表示するステップと、前記ダイヤリングスクリーンは、相手通話者を示す通話者識別領域と通話中機能を提供する機能キー領域を含み、
前記相手通話者と通話が接続されると、前記第１のタッチスクリーンの前記ダイヤリングスクリーンを通話中のスクリーンに置き換えて表示し、前記第２のタッチスクリーンの前記案内メッセージスクリーンを除去して前記第１の情報を表示するステップと、を含み、前記通話中のスクリーンは、前記相手通話者を示す通話者識別領域と通話時間と通話中機能を提供する機能キー領域を含むことを特徴とする、コンピュータ可読媒体。
【請求項１１】
コンピュータにより実行可能であるように構成されるプログラムを記憶するメモリを含み、
前記プログラムは、
第１のタッチスクリーンに第１の情報を表示し、第２のタッチスクリーンに第２の情報を表示する間に発呼要請を感知するステップと、
前記発呼要請の感知に応答して、前記第１のタッチスクリーンの前記第１の情報を発呼スクリーンに置き換えて表示するステップと、
前記発呼スクリーンは、ダイヤルされた番号を表示する番号表示領域とキーパッド領域と通話キーと映像通話キーとメッセージ発信キーのうち少なくとも１つを含み、前記発呼スクリーンが前記第１のタッチスクリーンに表示される間に、前記第２のタッチスクリーンは、前記第２の情報を維持し、
前記キーパッド領域を通して電話番号が入力されて前記通話キー上で第１のタップジェスチャーを感知するステップと、
前記第１のタップジェスチャーの感知に応答して、前記第１のタッチスクリーンの前記発呼スクリーンをダイヤリングスクリーンに置き換えて表示し、前記第２のタッチスクリーンに通話のために携帯機器を折り畳むことを勧告する案内メッセージスクリーンを表示するステップと、前記ダイヤリングスクリーンは、前記入力された電話番号に対応する相手通話者を示す通話者識別領域と通話中機能を提供する機能キー領域を含み、
前記相手通話者と通話が接続されると、前記第１のタッチスクリーンの前記ダイヤリングスクリーンを通話中のスクリーンに置き換えて表示し、前記第２のタッチスクリーンの前記案内メッセージスクリーンを除去して前記第１の情報を表示するステップと、を含み、前記通話中のスクリーンは、前記相手通話者を示す通話者識別領域と通話時間と通話中機能を提供する機能キー領域を含むことを特徴とする、コンピュータ可読媒体。
【請求項１２】
折り畳み可能な少なくとも１つのパネル上に配置される第１のタッチスクリーンディスプレイ及び第２のタッチスクリーンディスプレイを設ける携帯機器の制御方法であって、
第１のタッチスクリーンを含む第１のパネルと第２のタッチスクリーンを含む第２のパネルが広げられている状態で、前記第１のタッチスクリーンに第１の情報を表示し、前記第２のタッチスクリーンに第２の情報を表示する間に第１の着呼の発生を感知するステップと、
前記第１の着呼の発生に応答して、前記第１のタッチスクリーンの前記第１の情報を、通話アプリケーションにより提供される前記第１の着呼に関連した第１の着呼スクリーンに置き換えて表示するステップと、前記第１の着呼スクリーンは、相手通話者を示す通話者識別領域と着信キーと拒絶メッセージキーのうち少なくとも１つを含み、
前記第１の着呼スクリーンを表示する間に前記第２のタッチスクリーンの前記第２の情報を非活性化して通話のために携帯機器を折り畳むことを勧告する案内メッセージスクリーンを表示するステップと、
前記第１の着呼スクリーン内の前記着信キー上で予め指定された第１のタッチジェスチャーを感知するステップと、
前記第１のタッチジェスチャーの感知に応答して、前記第１のタッチスクリーンの前記第１の着呼スクリーンを通話中のスクリーンに置き換えて表示し、前記第２のタッチスクリーンの前記案内メッセージスクリーンを除去するステップと、前記通話中のスクリーンは、前記相手通話者を示す通話者識別領域と通話時間と通話中機能を提供する機能キー領域を含み、
前記第１の着呼による通話が終了すると、前記第１のタッチスクリーンの前記通話中のスクリーンを前記第１の情報に置き換えて表示するステップと、を含むことを特徴とする制御方法。
【請求項１３】
タッチスクリーンディスプレイを設ける携帯機器の制御方法であって、
第１のタッチスクリーンに第１の情報を表示し、第２のタッチスクリーンに第２の情報を表示する間に第１の着呼を感知するステップと、
前記第１の着呼の感知に応答して、前記第１のタッチスクリーンの前記第１の情報を、前記第１の着呼に関連した第１の着呼スクリーンに置き換えて表示するステップと、前記第１の着呼スクリーンは、前記第１の着呼に対応する相手通話者を示す通話者識別領域と着信キーと拒絶メッセージキーのうち少なくとも１つを含み、
前記第１の着呼スクリーンを表示する間に前記第２のタッチスクリーンの前記第２の情報を非活性化して通話のために携帯機器を折り畳むことを勧告する案内メッセージスクリーンを表示するステップと、
前記第１の着呼スクリーン内の前記着信キー上で予め指定された第１のタッチジェスチャーを感知するステップと、
前記第１のタッチジェスチャーの感知に応答して、前記第１のタッチスクリーンの前記第１の着呼スクリーンを通話中のスクリーンに置き換えて表示し、前記第２のタッチスクリーンの前記案内メッセージスクリーンを除去するステップと、を含み、前記通話中のスクリーンは、前記相手通話者を示す通話者識別領域と通話時間と通話中機能を提供する機能キー領域を含むことを特徴とする制御方法。
【請求項１４】
前記第１の着呼による通話が終了すると、前記第１のタッチスクリーンの前記通話中のスクリーンを前記第１の情報に置き換えて表示するステップをさらに含むことを特徴とする請求項１３に記載の制御方法。
【請求項１５】
第１及び第２のパネルが広げられている状態で前記第１のタッチジェスチャーが感知されると、スピーカーフォンモードで通話を接続するステップをさらに含むことを特徴とする請求項１３に記載の制御方法。
【請求項１６】
前記第１の情報が第１のアプリケーションのテキスト入力領域を含む場合、前記第１のタッチジェスチャーの感知に応答して前記第２のタッチスクリーンに前記第１の情報を表示するステップをさらに含むことを特徴とする請求項１３に記載の制御方法。
【請求項１７】
前記第１のタッチスクリーンに前記通話中のスクリーンを表示し、前記第２のタッチスクリーンに前記第２の情報を表示する間に、第２のパネルに設けられる物理的なボタンのうちの１つであるホームボタンの入力を感知するステップと、
前記ホームボタンの入力に応答して、前記第２のタッチスクリーンの前記第２の情報を、ホームスクリーンとして指定された少なくとも１つのウィジェット領域及び／又はアプリケーションあるいはアプリケーショングループに関連した少なくとも１つのアイコンを含む第１のページと、頻繁に使用されるアプリケーションのアイコンを含むドック領域に置き換えて表示するステップと、をさらに含むことを特徴とする請求項１３に記載の制御方法。
【請求項１８】
前記第１のタッチスクリーンに前記第１の着呼スクリーンを表示し、前記第２のタッチスクリーンに前記案内メッセージスクリーンを表示する間に、前記第１の着呼スクリーンの前記拒絶メッセージキー上で予め指定された第２のタッチジェスチャーを感知するステップと、
前記第２のタッチジェスチャーの感知に応答して、前記第１のタッチスクリーンの前記第１の着呼スクリーンを拒絶メッセージススクリーンに置き換えて表示し、前記第２のタッチスクリーンの前記案内メッセージスクリーンを拒絶メッセージ入力のためのテキスト入力領域と仮想キーパッドに置き換えて表示するステップと、前記拒絶メッセージススクリーンは、予め記憶された複数の拒絶メッセージと各拒絶メッセージのための送信キーを含み、
前記送信キーのうちの１つでタップジェスチャーが感知されると、該当する予め記憶された拒絶メッセージを前記第１の着呼の相手通話者に発送するステップと、
前記仮想キーパッドを通して拒絶メッセージが入力されて前記テキスト入力領域に含まれた送信キー上でタップジェスチャーが感知されると、前記入力された拒絶メッセージを前記第１の着呼の相手通話者に発送するステップと、
前記予め記憶された拒絶メッセージあるいは入力された拒絶メッセージが発送された後、前記第１及び第２のタッチスクリーンに前記第１及び第２の情報を表示するステップと、をさらに含むことを特徴とする請求項１３に記載の制御方法。
【請求項１９】
前記第１のタッチスクリーンに前記通話中のスクリーンを表示し、前記第２のタッチスクリーンに前記第２の情報を表示する間に第２の着呼を感知するステップと、
前記第２の着呼の感知に応答して、前記第１のタッチスクリーンの前記通話中のスクリーンを前記第２の着呼に関連した第２の着呼スクリーンに置き換えて表示するステップと、前記第２の着呼スクリーンは、前記第２の着呼に関連した相手通話者を示す通話者識別領域と着信キーと拒絶メッセージキーのうち少なくとも１つを含み、
前記第２の着呼スクリーン内の前記着信キー上で予め指定された第２のタッチジェスチャーを感知するステップと、
前記第２のタッチジェスチャーの感知に応答して、前記第１のタッチスクリーンの前記第２の着呼スクリーン上に多重着信選択メニューウィンドウを表示するステップと、前記多重着信選択メニューウィンドウは、前記第１の着呼の通話のための待機キーと終了キーを含み、
前記待機キー上でタップジェスチャーが感知されると、前記第１の着呼を待機させて前記第２の着呼を接続し、前記第１のタッチスクリーンの前記第２の着呼スクリーンを多重通話中のスクリーンに置き換えて表示するステップと、を含み、前記多重通話中のスクリーンは、前記第１及び第２の着呼の相手通話者それぞれに対する通話者識別領域と通話スワップキーと同時通話キーと通話中機能を提供する機能キー領域を含み、
前記第１のタッチスクリーンに前記第２の着呼スクリーン及び前記多重通話中のスクリーンのうちの１つが表示される間に、前記第２のタッチスクリーンは、前記第２の情報を続けて表示することを特徴とする請求項１３に記載の制御方法。
【請求項２０】
前記第１のタッチスクリーンが前面に向けるように前記第１のタッチスクリーンを含む第１のパネルと前記第２のタッチスクリーンを含む第２のパネルが折り畳まれた(folded)状態で、前記第１のタッチスクリーンに第１の情報を表示し、前記第２のタッチスクリーンをターンオフする間に第２の着呼を感知するステップと、
前記第２の着呼の感知に応答して、前記第１のタッチスクリーンの前記第１の情報を、通話アプリケーションにより提供される前記第２の着呼に関連した第２の着呼スクリーンに置き換えて表示するステップと、前記第２の着呼スクリーンは、前記第２の着呼に関連した相手通話者を示す通話者識別領域と着信キーと拒絶メッセージキーのうち少なくとも１つを含み、
前記第２のタッチスクリーンが前面に向けるように前記折り畳まれた第１及び第２のパネルのオーバーターンを感知するステップと、
前記オーバーターンの感知に応答して、前記第１のタッチスクリーンをターンオフし、前記第２のタッチスクリーンに拒絶メッセージススクリーンを表示するステップと、を含み、前記拒絶メッセージススクリーンは、予め記憶された複数の拒絶メッセージと各拒絶メッセージのための送信キーを含むことを特徴とする請求項１３に記載の制御方法。
【請求項２１】
前記第２のタッチスクリーンに前記拒絶メッセージススクリーンを表示する間に、前記第１及び第２のパネルが広げられることを感知するステップと、
前記広げられる感知に応答して、前記第１のタッチスクリーンに前記拒絶メッセージススクリーンを表示し、前記第２のタッチスクリーンの前記拒絶メッセージススクリーンを拒絶メッセージ入力のためのテキスト入力領域と仮想キーパッドに置き換えて表示するステップと、
前記拒絶メッセージススクリーンは、予め記憶された複数の拒絶メッセージと各拒絶メッセージのための送信キーを含み、
前記送信キーのうちの１つでタップジェスチャーが感知されると、該当する予め記憶された拒絶メッセージを前記第２の着呼の相手通話者に発送するステップと、
前記仮想キーパッドを通して拒絶メッセージが入力されて前記テキスト入力領域に含まれた送信キー上でタップジェスチャーが感知されると、前記入力された拒絶メッセージを前記第２の着呼の相手通話者に発送するステップと、をさらに含むことを特徴とする請求項２０に記載の制御方法。
【請求項２２】
折り畳み可能な少なくとも１つのパネル上に配置される第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
前記第１のタッチスクリーンを含む第１のパネルと前記第２のタッチスクリーンを含む第２のパネルが広げられている状態で、前記第１のタッチスクリーンにホームスクリーンとして指定された少なくとも１つのウィジェット領域及び／又はアプリケーションあるいはアプリケーショングループに関連した少なくとも１つのアイコンを含む第１のページと、通話アプリケーションのアイコンを含むドック領域を表示し、前記第２のタッチスクリーンに第１の情報を表示するステップと、
前記通話アプリケーションのアイコン上で第１のタップジェスチャーを感知するステップと、
前記第１のタップジェスチャーの感知に応答して、前記第１のタッチスクリーンの前記ホームスクリーンの第１のページと前記ドック領域を、通話アプリケーションにより提供される発呼スクリーンに置き換えて表示するステップと、
前記発呼スクリーンは、ダイヤルされた番号を表示する番号表示領域とキーパッド領域と通話キーと映像通話キーとメッセージ発信キーのうち少なくとも１つを含み、前記発呼スクリーンが前記第１のタッチスクリーンに表示される間に、前記第２のタッチスクリーンは前記第１の情報を維持し、前記キーパッド領域を通して電話番号が入力されて前記通話キー上で第２のタップジェスチャーを感知するステップと、
前記第２のタップジェスチャーの感知に応答して、前記第１のタッチスクリーンの前記発呼スクリーンをダイヤリングスクリーンに置き換えて表示し、前記第２のタッチスクリーンに通話のために携帯機器を折り畳むことを勧告する案内メッセージスクリーンを表示するステップと、前記ダイヤリングスクリーンは、相手通話者を示す通話者識別領域と通話中機能を提供する機能キー領域を含み、
前記相手通話者と通話が接続されると、前記第１のタッチスクリーンの前記ダイヤリングスクリーンを通話中のスクリーンに置き換えて表示し、前記第２のタッチスクリーンの前記案内メッセージスクリーンを除去して前記第１の情報を表示するステップと、を含み、前記通話中のスクリーンは、前記相手通話者を示す通話者識別領域と通話時間と通話中機能を提供する機能キー領域を含むことを特徴とする携帯機器。
【請求項２３】
第１のタッチスクリーン及び第２のタッチスクリーンと、
前記第１及び第２のタッチスクリーンを介してユーザインターフェースを提供する少なくとも１つのプロセッサと、
前記プロセッサにより実行可能であるように構成されるプログラムを記憶するメモリと、を含み、
前記プログラムは、
前記第１のタッチスクリーンに第１の情報を表示し、前記第２のタッチスクリーンに第２の情報を表示する間に第１の着呼を感知するステップと、
前記第１の着呼の感知に応答して、前記第１のタッチスクリーンの前記第１の情報を、前記第１の着呼に関連した第１の着呼スクリーンに置き換えて表示するステップと、前記第１の着呼スクリーンは、前記第１の着呼に対応する相手通話者を示す通話者識別領域と着信キーと拒絶メッセージキーのうち少なくとも１つを含み、
前記第１の着呼スクリーンを表示する間に前記第２のタッチスクリーンの前記第２の情報を非活性化して通話のために携帯機器を折り畳むことを勧告する案内メッセージスクリーンを表示するステップと、
前記第１の着呼スクリーン内の前記着信キー上で予め指定された第１のタッチジェスチャーを感知するステップと、
前記第１のタッチジェスチャーの感知に応答して、前記第１のタッチスクリーンの前記第１の着呼スクリーンを通話中のスクリーンに置き換えて表示し、前記第２のタッチスクリーンの前記案内メッセージスクリーンを除去するステップと、を含み、前記通話中のスクリーンは、前記相手通話者を示す通話者識別領域と通話時間と通話中機能を提供する機能キー領域を含むことを特徴とする携帯機器。
【請求項２４】
コンピュータにより実行可能であるように構成されるプログラムを記憶するメモリを含み、
前記プログラムは、
第１のタッチスクリーンを含む第１のパネルと第２のタッチスクリーンを含む第２のパネルが広げられている状態で、前記第１のタッチスクリーンにホームスクリーンとして指定された少なくとも１つのウィジェット領域及び／又はアプリケーションあるいはアプリケーショングループに関連した少なくとも１つのアイコンを含む第１のページと、通話アプリケーションのアイコンを含むドック領域を表示し、前記第２のタッチスクリーンに第１の情報を表示するステップと、
前記通話アプリケーションのアイコン上で第１のタップジェスチャーを感知するステップと、
前記第１のタップジェスチャーの感知に応答して、前記第１のタッチスクリーンの前記ホームスクリーンの第１のページと前記ドック領域を、通話アプリケーションにより提供される発呼スクリーンに置き換えて表示するステップと、
前記発呼スクリーンは、ダイヤルされた番号を表示する番号表示領域とキーパッド領域と通話キーと映像通話キーとメッセージ発信キーのうち少なくとも１つを含み、前記発呼スクリーンが前記第１のタッチスクリーンに表示される間に、前記第２のタッチスクリーンは前記第１の情報を維持し、前記キーパッド領域を通して電話番号が入力されて前記通話キー上で第２のタップジェスチャーを感知するステップと、
前記第２のタップジェスチャーの感知に応答して、前記第１のタッチスクリーンの前記発呼スクリーンをダイヤリングスクリーンに置き換えて表示し、前記第２のタッチスクリーンに通話のために携帯機器を折り畳むことを勧告する案内メッセージスクリーンを表示するステップと、前記ダイヤリングスクリーンは、相手通話者を示す通話者識別領域と通話中機能を提供する機能キー領域を含み、
前記相手通話者と通話が接続されると、前記第１のタッチスクリーンの前記ダイヤリングスクリーンを通話中のスクリーンに置き換えて表示し、前記第２のタッチスクリーンの前記案内メッセージスクリーンを除去して前記第１の情報を表示するステップと、を含み、前記通話中のスクリーンは、前記相手通話者を示す通話者識別領域と通話時間と通話中機能を提供する機能キー領域を含むことを特徴とする、コンピュータ可読媒体。
【請求項２５】
コンピュータにより実行可能であるように構成されるプログラムを記憶するメモリを含み、
前記プログラムは、
第１のタッチスクリーンに第１の情報を表示し、第２のタッチスクリーンに第２の情報を表示する間に第１の着呼を感知するステップと、
前記第１の着呼の感知に応答して、前記第１のタッチスクリーンの前記第１の情報を、前記第１の着呼に関連した第１の着呼スクリーンに置き換えて表示するステップと、前記第１の着呼スクリーンは、前記第１の着呼に対応する相手通話者を示す通話者識別領域と着信キーと拒絶メッセージキーのうち少なくとも１つを含み、
前記第１の着呼スクリーンを表示する間に前記第２のタッチスクリーンの前記第２の情報を非活性化して通話のために携帯機器を折り畳むことを勧告する案内メッセージスクリーンを表示するステップと、
前記第１の着呼スクリーン内の前記着信キー上で予め指定された第１のタッチジェスチャーを感知するステップと、
前記第１のタッチジェスチャーの感知に応答して、前記第１のタッチスクリーンの前記第１の着呼スクリーンを通話中のスクリーンに置き換えて表示し、前記第２のタッチスクリーンの前記案内メッセージスクリーンを除去するステップと、を含み、前記通話中のスクリーンは、前記相手通話者を示す通話者識別領域と通話時間と通話中機能を提供する機能キー領域を含むことを特徴とする、コンピュータ可読媒体。